(57)【要約】【課題】  階層毎にデジタル放送データ（変調方式等）が異なっても受信状態に応じて階層の選択を行うことができるようにする。【解決手段】  受信装置１０は所定の周波数帯域幅を複数に分割して複数の階層が規定され階層毎に少なくとも変調方式が異なるデジタル放送波を受信する。番組内容判定部２０では階層で同一内容の放送番組が送信されているサイマル放送であるか否かを判定して番組判定制御信号を出力し、電力比較部１８では、番組判定制御信号がサイマル放送であることを示していると階層毎の受信状態（受信電力）を比較して比較結果に応じた階層選択制御信号を出力する。そして、ＴＳ−Ｄｅｍｕｘ２１では階層選択制御信号に応じて階層の１つを選択する。【選択図】        図２
2006222557.tif 000002
【特許請求の範囲】
【請求項１】
所定の周波数帯域幅を複数に分割して複数の階層が規定され、該階層毎に少なくとも変調方式が異なるデジタル放送波を受信する受信装置において、
前記階層で同一内容の放送番組が送信されている放送であるか否かを判定して番組判定制御信号を出力する番組内容判定手段と、
前記番組判定制御信号が前記複数階層で同一内容の放送番組が送信されている放送であることを示している場合に前記階層毎の受信状態に応じて前記階層の１つを選択する階層選択手段とを有することを特徴とする受信装置。
【請求項２】
階層選択手段は、階層毎の受信電力を求めてこれら受信電力を比較して比較結果に応じて階層選択制御信号を出力する電力比較手段と、
前記階層選択制御信号で示される階層を選択して当該階層で送信された信号を再生して出力する再生選択手段とを有することを特徴とする請求項１記載の受信装置。
【請求項３】
階層毎に少なくとも変調方式を含む階層に関する情報を階層情報として得る階層情報取得手段を有し、
電力比較手段は、前記階層情報を考慮して階層選択制御信号を生成するようにしたことを特徴とする請求項２記載の受信装置。
【請求項４】
希望波であるデジタル放送波と妨害波との相対的強度及び遅延時間を示す遅延プロファイルを検出する遅延プロファイル検出手段を有し、
電力比較手段は、前記遅延プロファイルを考慮して階層選択制御信号を生成するようにしたことを特徴とする請求項２又は請求項３記載の受信装置。
【請求項５】
電力比較手段は、遅延プロファイルにおいて希望波と妨害波との到来時間差がガイドインターバル長を超過した際に希望波と妨害波の電力比を判定して、該判定結果を考慮して階層選択制御信号を生成するようにしたことを特徴とする請求項４記載の受信装置。
【請求項６】
移動体の現在地を検出して位置情報を得る位置検出手段を有し、
電力比較手段は、前記位置情報に対応する地図上で示される周囲環境に基づいて階層選択制御信号を生成するようにしたことを特徴とする請求項２から請求項４記載のうちのいずれか１項記載の受信装置。
【請求項７】
電力比較手段は、階層切替の際、切替後の階層に係る階層情報に応じて規定された時間だけ遅延させて階層選択信号を出力するようにしたことを特徴とする請求項３記載の受信装置。
【発明の詳細な説明】
【技術分野】
【０００１】
この発明は、デジタル放送波を受信する受信装置に関し、特に、移動体に搭載されて地上デジタル放送波を受信する受信装置に関するものである。
【背景技術】
【０００２】
一般に、地上デジタル放送（ＩＳＤＢ−Ｔ）においては、階層伝送が許容されており、各階層毎（最大で３階層）に異なる変調方式、伝送速度、誤り耐性を付与できることになっている。ここで階層とは、所定の周波数帯域幅を複数に分割してグループ化して、そのグループ毎に異なる情報を割り当てた際の各グループを意味する。例えば、５．７ＭＨｚ幅の周波数帯域を１３のセグメントに分割して、一つ又は複数のセグメントを１つの階層として区分することが行われている。
【０００３】
このような地上デジタル放送においては、同一の放送内容（放送番組）が複数の階層で送信されることがあり、地上デジタル放送波を受信する受信装置においては、複数の階層中で最も受信状態が良好な階層を選択して受信するようにしている。例えば、同一の放送内容が複数の階層で放送されている際、各階層におけるパイロット信号の受信電力を比較して、受信電力が最も大きい階層を選択するようにしたものがある（例えば、特許文献１参照）。
【０００４】
ここでは、リードソロモン（ＲＳ）復号後のパケット誤り率、ビタビ復号後のビット誤り率、及びＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）振幅値を比較して、受信状態が良好な階層を選択することも行われている。
【０００５】
一方、受信状態の悪化を防止するための手法して、ダイバーシチ受信方式が知られており、例えば、電力検出回路によって受信信号の受信電力値をアンテナ系列ごとに検出して、ダイバーシチ選択回路で受信電力値の各アンテナ系列相互間における差が閾値以上ならばアンテナ選択ダイバーシチ信号、閾値以下ならば信号合成ダイバーシチ信号を出力する。
【０００６】
そして、受信信号の信号品質を測定して最良な信号品質となるアンテナの受信信号を出力するアンテナ選択回路と、受信信号を合成する信号合成回路とを備えて、ダイバーシチ切替回路がアンテナ選択ダイバーシチ信号を受けるとアンテナ選択回路の出力信号を選択し、信号合成ダイバーシチ信号を受けると信号合成回路の出力信号を選択するようにしたものがある（例えば、特許文献２参照）。
【０００７】
さらに、複数の変調方式及び符号化率のうち、任意の組み合わせを用いて符号化変調された信号を受信する際により誤り率の低い復号を行うため、復調データを、変調方式情報及び符号化率情報の組み合わせに応じた量子化レベルに応じて量子化するようにしたものがあり、これによって、変調方式又は符号化率の変更又は切替えが生じた場合にも、常に安定した誤り率特性でデジタルデータを復号するようにしたものがある（例えば、特許文献３参照）。
【０００８】
【特許文献１】特開２００３−３０４５１０号公報（第７頁〜第９頁、第１図〜第２図）
【特許文献２】特開２００３−２４４０４３号公報（第６頁〜第７頁、第１図〜第３図）
【特許文献３】特開２０００−２５２８４１号公報（第４頁〜第５頁、第１図及び第８図）
【発明の開示】
【発明が解決しようとする課題】
【０００９】
従来の受信装置は以上のように構成されているので、同一の放送内容を複数の階層で送信した際に、受信状態の良好な階層を受信することはできるものの、各階層では同一のデジタル放送データが送信されており、同一の放送内容でありながら、デジタル放送データが階層毎に異なると、受信状態に応じて階層の選択が行えない。例えば、階層毎に映像の変調方式及び／又は圧縮方式が異なると（つまり、デジタル放送データが異なると）、受信状態に応じて階層の選択が行えないという課題があった。
【００１０】
この発明は上記のような課題を解決するためになされたもので、階層毎にデジタル放送データが異なっても受信状態に応じて階層の選択を行うことができる受信装置を提供することを目的とする。
【課題を解決するための手段】
【００１１】
この発明に係る受信装置は、所定の周波数帯域幅を複数に分割して複数の階層が規定され、これら階層毎に少なくとも変調方式が異なるデジタル放送波を受信する。そして、この受信装置は、これら階層で同一内容の放送番組が送信されている放送であるか否かを判定して番組判定制御信号を出力する番組内容判定手段と、番組判定制御信号が前記複数階層で同一内容の放送番組が送信されている放送であることを示している場合に階層毎の受信状態に応じて階層の１つを選択する階層選択手段とを有することを特徴とするものである。
【発明の効果】
【００１２】
この発明によれば、階層毎に少なくとも変調方式が異なるデジタル放送波を受信する際、サイマル放送であると階層毎の受信状態に応じて階層の１つを選択するように構成したので、階層毎にデジタル放送データ（例えば、変調方式）が異なっても受信状態に応じて階層の選択を行うことができるという効果がある。
【発明を実施するための最良の形態】
【００１３】
実施の形態１．
まず、図１を参照して、この発明の実施の形態１による受信装置が受信する地上デジタル放送波について説明する。地上デジタル放送においては、一つの放送局（図示せず）からは一つのデジタル放送波が送信されており、このデジタル放送波はトランスポートストリーム（Ｔｒａｎｓｐｏｒｔ  Ｓｔｒｅａｍ：ＴＳ）と呼ばれる。そして、一つのＴＳには少なくとも一つの放送サービスが含まれており、各放送サービスにはサービス識別番号（ＴＳ＿ＩＤ）が付与されている。
【００１４】
地上デジタル放送では、例えば、所謂ガードインターバルが付加されたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いており、ＴＳには、デジタル映像信号（ビデオストリーム）、デジタル音声信号（オーディオストリーム）、及びサービス情報（Ｓｅｒｖｉｃｅ  Ｉｎｆｏｒｍａｔｉｏｎ：ＳＩ情報）が含まれ、このＳＩ情報には、例えば、ＴＳ＿ＩＤ、送信チャンネル（３桁の番号）、放送局名、番組情報、及び放送対象地域等を示すデータが含まれている（例えば、ＳＩ情報中のＮＩＴ（Ｎｅｔｗｏｒｋ  Ｉｎｆｏｒｍａｔｉｏｎ＿ｉｄ）に含まれるサービスリスト記述子中のＳｅｒｖｉｃｅ＿ｉｄに含まれる地域識別子によって放送対象地域が判別される）。
【００１５】
地上デジタル放送（ＩＳＤＢ−Ｔ方式）による送信データは、例えば、ＭＰＥＧ−２（Ｍｏｖｉｎｇ  Ｐｉｃｔｕｒｅ  Ｅｘｐｅｒｔｓ  Ｇｒｏｕｐ  ｐｈａｓｅ  ２）で規定されるＴＳＰ（トランスポートストリームパケット）を複数個含むデータのグループ（以下セグメントと呼ぶ）単位で構成され、予め規定された伝送路符号化が施されて、各セグメントにはパイロット信号が付加され、ＯＦＤＭセグメントとなる。そして、合計１３個のＯＦＤＭセグメントはＩＦＦＴ（Ｉｎｖｅｒｓｅ  Ｆａｓｔ  Ｆｏｕｒｉｅｒ  Ｔｒａｎｓｆｏｒｍ）されて一括してＯＦＤＭ送信信号に変換される。つまり、１チャンネル当り約５．７ＭＨｚの帯域幅を１３セグメントに分割していることになる。
【００１６】
図１（ａ）及び（ｂ）に示すように、１３セグメントを１つの階層（Ａ階層）で伝送する場合と、図１（ｃ）及び（ｄ）に示すように１３セグメントを複数の階層（図示の例では３つの階層：Ａ階層〜Ｃ階層）で伝送する場合とがあり、各階層毎にキャリア変調方式等、内符号の符号化率、及び時間インターリーブ長等のパラメータを設定することができる。さらに、図１（ｄ）に示すように、１３セグメントの内の１セグメント（例えば、中央に位置するセグメント）ＳＧ１については、周波数インターリーブを当該セグメント内で行うと、テレビジョン信号の一部を受信することができる（部分受信）。
【００１７】
ここでは、地上デジタル放送は中央の１セグメントを除く１２セグメントと中央の１セグメントとをサイマル放送形態で送信しており、１２セグメントは６４ＱＡＭ（Ｑｕａｄｒａｔｕｒｅ  Ａｍｐｌｉｔｕｄｅ  Ｍｏｄｕｌａｔｉｏｎ）方式で送信され、残りの１セグメント（中央のセグメント）はＱＰＳＫ（Ｑｕａｄｒｉ−Ｐｈａｓｅ  Ｓｈｉｆｔ  Ｋｅｙｉｎｇ）方式で送信されている。
【００１８】
図２は本発明の実施の形態１による受信装置の構成を示すブロック図であり、図示の受信装置１０はアンテナ１１を介して前述したＯＦＤＭ送信信号を受信し、ＯＦＤＭ送信信号はチューナ部１２でＩＦ（中間周波）信号にダウンコンバートされる。そして、ＩＦ信号はアナログ／デジタル（Ａ／Ｄ）コンバータ部（ＡＤＣ）１３においてデジタル信号に変換される。次いで、ＦＦＴ（Ｆａｓｔ  Ｆｏｕｒｉｅｒ  Ｔｒａｎｓｆｏｒｍ）部１４でデジタル信号は周波数帯域の異なる複数の信号に分解されて、これら信号はパイロット復調部１５で伝送路歪みが補正される。
【００１９】
このようにして得られた各キャリアに応じた信号は周波数デインターリーブ部１６で周波数デインターリーブされた後、時間デインターリーブ部１７で時間デインターリーブされる。つまり、データ並び替えが行われて、電力比較部１８に与えられる。また、ＦＦＴ部１４の出力はＴＭＣＣ復調部１９に与えられ、ＴＭＣＣ復調部１９では各セグメントに関する情報（例えば、部分受信、変調方式、畳み込み符号化率、及びセグメント数を表す情報：以下単にセグメント情報（階層情報）と呼ぶ）を生成して、電力比較部（電力比較手段）１８に与える。
【００２０】
電力比較部１８では、後述する番組内容判定部（番組内容判定手段）２０で生成された番組判定制御信号を受け、番組判定制御信号に応じて各セグメント（階層）の放送番組内容がサイマル放送（同一放送）であると判断すると、セグメント情報を考慮してパイロットキャリアの電力状況に応じて良好な受信状態にあるセグメント（階層）を選択するための階層選択制御信号を出力する。この階層選択制御信号は電力比較部１８からＴＳ−Ｄｅｍｕｘ（ＴＳ−分離部）２１に与えられる。そして、ＴＳ−Ｄｅｍｕｘ（再生選択手段）２１では、後述するようにして、階層選択制御信号に応じて映像及び音声再生選択を行って、映像及び音声復号部２５で復号された映像及び音声信号がそれぞれモニター及びスピーカ（ともに図示せず）に与えられる。
【００２１】
ところで、電力比較部１８からは階層分割部２２に各セグメント（階層）が与えられ、階層分割部２２では各セグメント（階層）毎の変調方式及び内符号化方式（畳み込み符号化方式）に従って各階層を復調及びビタビ復号する（第１〜第３の復調及びビタビ復号２２ａ〜２２ｃ：なお、第１〜第３の復調及びビタビ復号２２ａ〜２２ｃは、例えば、図１（ｃ）に示す階層Ａ〜Ｃの復調及びビタビ復号である）。ビタビ復号された各セグメント（階層）のデータはＴＳ再生部２３で送信時の順序に従って並べられて、外符号復号部２４でＲＳ（リードソロモン）符号に応じた誤り訂正処理がなされた後、ＴＳ−Ｄｅｍｕｘ２１に与えられる。
【００２２】
図２に示すように、ＴＳ−Ｄｅｍｕｘ２１は、ＰＳＩ／ＳＩデータ取得部２１ａ、各セグメント（階層）データ識別部２１ｂ、映像及び音声再生選択部２１ｃを有しており、ＰＳＩ／ＳＩデータ取得部２１ａでは外符号復号部２４の出力からＳＩデータを取得して、ＳＩデータ内のＳＤＴ及びＥＩＴデータを番組内容判定部２０に与えるとともに、後述するように、ＰＭＴ情報を各セグメント（階層）データ識別部２１ｂに与える。
【００２３】
番組内容判定部２０ではＳＤＴ及びＥＩＴに応じて番組内容を判定し、番組判定制御信号を電力比較部１８に与える。つまり、番組内容判定部２０は、番組名及び番組内容を各セグメント（階層）毎に生成・比較して、サイマル放送であるか否かを示す番組判定制御信号を電力比較部１８に与えることになる。
【００２４】
一方、各セグメント（階層）識別部２１ｂではＰＷＴ情報（ＰＳＩ）に応じて各セグメント（階層）を識別してセグメント識別結果を映像及び音声再生選択部２１ｃに与える。映像及び音声再生選択部２１ｃでは、電力比較部１８から出力される階層選択制御信号に応じていずれのセグメント（階層）データを映像及び音声再生データとして採用するかを決定し、前述のセグメント識別結果によって識別されたセグメント（階層）の映像及び音声データの各パケットＩＤ（ＰＩＤ）を用いて、所望のセグメント（階層）信号を外符号復号部２４の出力から選択して、映像及び音声復号部２５に与える。そして、映像及び音声復号部２５ではセグメント（階層）信号を復号して、映像信号及び音声信号を出力する。
【００２５】
ここで、図３を参照して、電力比較部１８における階層選択信号の生成について説明する。電力比較部１８は第１〜第３の遅延部１８ａ〜１８ｃと電力算出及び比較部１８ｄとを有しており、図２に示す時間デインターリーブ部１７からの出力信号はセグメント（階層）毎に、つまり、階層Ａ〜Ｃ毎にそれぞれ第１〜第３の遅延部１８ａ〜１８ｃに与えられる。言い換えると、セグメント（階層）Ａの信号は第１の遅延部１８ａに与えられ、セグメント（階層）Ｂの信号は第２の遅延部１８ｂに与えられる。また、セグメント（階層）Ｃの信号は第１の遅延部１８ｃに与えられる。
【００２６】
第１〜第３の遅延部１８ａ〜１８ｃはそれぞれ異なる伝送遅延量を有しており、セグメント（階層）Ａ〜Ｃの信号を遅延させて、セグメント（階層）Ａ〜Ｃの信号のタイミングを揃え、セグメント（階層）間の遅延差を補正する。電力算出及び比較部１８ｄではまず番組内容判定部２０から与えられる番組内容制御信号に応じて各セグメント（階層）の番組内容がサイマル放送であるか否かを判定し、サイマル放送であると判定すると、サイマル放送であるセグメント（階層）Ａ〜Ｃの信号を入力する。なお、ここでは、第１〜第３の遅延部１８ａ〜１８ｃの出力はサイマル放送であるものとする。
【００２７】
電力算出及び比較部１８ｄでは、まずセグメント（階層）Ａ〜Ｃの各信号におけるパイロットキャリア波形振幅の２乗（即ち、電力）を算出する。前述したように、電力算出及び比較部１８ｄにはＴＭＣＣ復調部１９から各セグメント（階層）のセグメント情報が送られており、各セグメント（階層）における変調方式及び畳み込み符号化率情報に応じて受信感度を求めて、電力算出及び比較部１８ｄは、受信感度を考慮してセグメント（階層）間の受信電力を比較する。そして、電力算出及び比較部１８ｄは、セグメント（階層）Ａ〜Ｃの内最も受信状態が良好なセグメント（階層）を決定し、階層選択制御信号を映像及び音声再生選択部２１ｃに出力する。
【００２８】
続いて、図４を参照して、ＴＳ−ＤＥＭＵＸ２１について説明する。ＰＳＩ／ＳＩ取得部２１ａ及び映像及び音声再生選択部２１ｃには外符号復号部２４からＴＳデータが与えられ、ＰＳＩ／ＳＩ取得部２１ａではＴＳデータ中のＰＳＩ／ＳＩデータ内のＰＭＴ情報を各セグメント（階層）データ識別部２１ｂに出力する。
【００２９】
各セグメント（階層）データ識別部２１ｂでは、ＰＭＴ情報に基づいて各セグメント（階層）の映像及び音声データのＰＩＤを認識して、その認識結果を映像及び音声再生選択部２１ｃに与える。映像及び音声再生選択部２１ｃにおいては、階層選択制御信号に基づいて所望のセグメント（階層）に相当するＰＩＤを選択して、選択したＰＩＤに対応する映像及び音声データを映像及び音声復号部２５に出力する。
【００３０】
さらに、図５を参照して、番組内容判定部２０について説明する。前述のように、ＰＳＩ／ＳＩデータ取得部２１ａから番組内容判定部２０にＳＤＴ及びＥＩＴデータが与えられ、番組内容判定部２０では、各セグメント（階層）毎（又は番組毎）に割り当てられたＳｅｒｖｉｃｅ＿ｉｄに対して、ＳＤＴ内のサービス記述子（Ｓｅｒｖｉｃｅ  Ｄｅｓｃｒｉｐｔｏｒ）によるＳｅｒｖｉｃｅ＿ｔｙｐｅ及びＳｅｒｖｉｃｅ＿ｎａｍｅと各ＥＩＴ内のＳｈｏｒｔ  Ｅｖｅｎｔ  Ｄｅｓｃｒｉｐｔｏｒ及びＥｘｔｅｎｄｅｄ  Ｅｖｅｎｔ  Ｄｅｓｃｒｉｐｔｏｒの内容に応じて、番組名及び番組内容を各セグメント（階層）毎に生成・比較して、サイマル放送であるか否かを判定し、判定結果である番組判定制御信号を電力比較部１８に出力する。
【００３１】
次に動作について説明する。
図２を参照して、いま、階層Ａにおいて１セグメント受信（部分受信）が行われ、階層Ａでは変調方式がＱＰＳＫ、符号化率が１／２、映像圧縮方式がＨ．２６４、音声チャンネルが２ｃｈであり、階層Ｂでは変調方式が６４ＱＡＭ、符号化率が３／４、映像圧縮方式がＭＰＥＧ２、音声チャンネルが５．１ｃｈであるものとして、階層Ａ及びＢによって階層伝送が行われているものとする。
【００３２】
図２に示すチューナ部１２〜時間デインターリーブ部１７においては、前述したように階層Ａ及びＢともに同一の処理が行われて、ＴＭＣＣ復調部１９によって階層Ａの受信感度が階層Ｂの受信感度よりも約１５ｄＢ低いことが認識される。電力比較部１８においては、番組内容判定部２０から与えられる番組判定制御信号によって、階層Ａ及びＢがサイマル放送であると判定すると、階層Ａの受信感度が階層Ｂの受信感度よりも約１５ｄＢ低いことを考慮して、階層Ａ及び階層Ｂの電力比較を行う。例えば、階層Ｂの電力が受信感度以下であり、階層Ａの電力が階層Ｂの電力よりも１０ｄＢ低い場合でも、階層Ａの受信電力が受信感度よりも高いと、電力比較部１８は階層Ａの選択を指示する階層選択制御信号を出力する。
【００３３】
なお、ここでは、ＡＲＩＢ規格の規定に応じて、変調方式がＱＰＳＫ、符号化率が１／２である際には、所要Ｃ／Ｎ（搬送波対雑音比）＝４．９ｄＢとされ、変調方式が６４ＱＡＭ、符号化率が３／４である際には、所要Ｃ／Ｎ（搬送波対雑音比）＝２０．１ｄＢとされる結果、階層Ａ及びＢの受信感度差＝約１５ｄＢとなる。
【００３４】
階層分割部２２〜外符号復号部２４においては、前述したように階層Ａ及びＢともに同一の処理が行われ、外符号復号部２４からＰＳＩ／ＳＩデータ取得部２１ａにＴＳデータが与えられて、ＰＳＩ／ＳＩデータ取得部２１ａはＰＭＴ（ＰＳＩ）情報、ＳＤＴ及びＥＩＴデータを取得して、ＰＭＴ情報を各セグメント（階層）データ識別部２１ｂに与え、ＳＤＴ及びＥＩＴデータを番組内容判定部２０に与える。
【００３５】
各セグメント（階層）データ識別部２１ｂでは、階層Ａ及びＢの映像及び音声データのＰＩＤをＰＭＴ情報から識別して、識別結果を映像及び音声再生選択部２１ｃに与える。そして、映像及び音声再生選択部２１ｃでは、電力比較部１８から与えられる階層選択制御信号によって階層Ａの映像用ＰＩＤ及び音声用ＰＩＤに応じて階層Ａの映像用データ及び音声用データをＴＳデータから抽出する。そして、これら映像用データ及び音声用データは映像及び音声復号部２５に与えられる。
【００３６】
一方、番組内容判定部２０では、ＳＤＴデータから階層Ａ及びＢのＳｅｒｖｉｃｅ＿ｔｙｐｅ及びＳｅｒｖｉｃｅ＿ｎａｍｅを記憶し（ここでは主にサービス形式種別及びサービス名を記憶する）、ＥＩＴデータから階層Ａ及びＢのＥｖｅｎｔ＿ｎａｍｅ＿ｃｈａｒ及びＴｅｘｔ＿ｃｈａｒを記憶する（ここでは主に番組名及び番組記述子を記憶する）。そして、番組内容判定部２０では階層Ａ及びＢに係る番組情報を比較して、サイマル放送であるか否かを判定し、サイマル放送であるか否かを示す番組判定制御信号を電力比較部１８に出力する。そして、電力比較部１８では、前述したようにして、階層選択制御信号を映像及び音声再生選択部２１ｃに与え、映像及び音声再生選択部２１ｃは階層選択制御信号に応じて階層選択を行う。
【００３７】
このようにして階層Ａ及びＢのいずれかを選択受信するようにすれば、例えば、移動体において電波状態が厳しい環境下であっても、階層Ａは受信できることになって、映像の質及び音声チャンネル数は劣るものの、映像及び音声が途切れる状態を回避することができる。つまり、階層毎にデジタル放送データが異なっても受信状態に応じて階層の選択を行うことができることになる。
【００３８】
上述の例では、ＴＭＣＣ復調部１９からセグメント情報（変調方式及び畳み込み符号化率等の情報）を電力比較部１８に与えて、電力比較部１８では階層選択制御信号を出力する際、セグメント情報を考慮するようにしたが、さらに遅延プロファイルを考慮するようにしてもよい。例えば、図６に示すように、パイロット復調部１５の出力を遅延プロファイル部（遅延プロファイル検出手段）２６に与えて、遅延プロファイル部２６で得られた遅延プロファイル（遅延プロファイルは希望波であるデジタル放送波と妨害波との相対的強度及び遅延時間を示す）を電力比較部１８に与えるようにしてもよい（図６において、図２に示す構成要素と同一の構成要素については同一の参照番号を付す）。
【００３９】
ここで、階層Ａにおいて１セグメント受信（部分受信）が行われ、階層Ａでは変調方式がＱＰＳＫ、符号化率が１／２、映像圧縮方式がＨ．２６４、音声チャンネルが２ｃｈであり、階層Ｂでは変調方式が６４ＱＡＭ、符号化率が３／４、映像圧縮方式がＭＰＥＧ２、音声チャンネルが５．１ｃｈであるものとして、階層Ａ及びＢによって階層伝送が行われているものとすると、前述したように、階層Ｂの電力が受信感度以下であり、階層Ａの電力が階層Ｂの電力よりも１０ｄＢ低い場合でも、階層Ａの受信電力が受信感度よりも高いと、電力比較部１８は階層Ａを選択することになるが、この際、遅延プロファイル部２６において、希望波と妨害波の到来時間差がガードインターバル長を超過した際のＤ／Ｕ比を考慮する（図７参照）。
【００４０】
例えば、階層Ｂの電力が受信感度以上であっても、Ｄ／Ｕ比が５ｄＢ以上且つ２０ｄＢ以下の際には、階層Ａの選択を指示する階層選択制御信号を出力する。なお、ここでは、ＡＲＩＢ規格の規定に応じて、変調方式がＱＰＳＫ、符号化率が１／２である際には、所要Ｃ／Ｎ（搬送波対雑音比）＝４．９ｄＢ、変調方式が６４ＱＡＭ、符号化率が３／４である際には、所要Ｃ／Ｎ（搬送波対雑音比）＝２０．１ｄＢに応じてＤ／Ｕ比が算出される。
【００４１】
このようにして、遅延プロファイルも考慮して、階層選択を行うようにすれば、階層毎にデジタル放送データが異なっても受信状態に応じて精度よく階層の選択を行うことができる。
【００４２】
さらに、図８に示すように、別にＧＰＳ位置情報検出部（位置検出手段）２７を設けて、ＧＰＳ位置情報検出部２７で得られた位置情報を電力比較部１８に与えるようにしてもよい（図８において、図２に示す構成要素と同一の構成要素については同一の参照番号を付す）。
【００４３】
図８を参照すると、前述したように、階層Ｂの電力が受信感度以下であり、階層Ａの電力が階層Ｂの電力よりも１０ｄＢ低い場合でも、階層Ａの受信電力が受信感度よりも高いと、電力比較部１８は階層Ａを選択することになるが、この際、アンテナ２７ａを介して受信したＧＰＳ信号に応じてＧＰＳ位置情報検出部２７は移動体の位置情報を得る。そして、ＧＰＳ位置情報検出部２７では位置情報と地図データとに応じて移動体が地図上のいずれの地域に位置するかを判定する。例えば、移動体が大都市部、中小都市部、又は郊外地のいずれに位置するかを判定する。
【００４４】
例えば、ＧＰＳ位置情報検出部２７において移動体が大都市部に位置すると判定されると、階層Ｂの受信電力が受信感度以上であっても、電力比較部１８は階層Ｂの選択を指示する階層選択制御信号の出力を停止する。つまり、大都市部においてはビル群等によって受信状態が劣化することが多いため、階層Ｂの受信を回避することになる。
【００４５】
なお、図示はしないが、ＧＰＳ位置情報検出部２７で得られる位置情報と当該位置における各階層Ａ及びＢの受信電力とを対応付けてメモリに記憶しておき、移動体において地上デジタル放送を受信する際、ＧＰＳ位置情報検出部２７で得られる位置情報に応じてメモリを検索し、各階層Ａ及びＢの受信電力を得てその結果に応じて階層切替を行うようにしてもよい。つまり、移動体の走行中に移動体位置に応じた各階層Ａ及びＢの受信電力を記憶するようにしておけば、移動体の位置に応じて階層切替制御を行うことができる。
【００４６】
ところで、階層Ａから階層Ｂへ又は階層Ｂから階層Ａへと切り替える際の違和感を軽減するため、図９（ａ）に示すように、階層Ａから階層Ｂへと切替制御を行う際には、図９（ｂ）に示すように、時間（チャタリング）ｔ１だけ遅らせて、階層切替を行う。そして、図９（ａ）に示すように、階層Ｂから階層Ａへと切替制御を行う際には、図９（ｂ）に示すように、時間ｔ２だけ遅らせて切替制御を行う。ここでは、時間ｔ１＞時間ｔ２である。
【００４７】
このようにして、切替タイミングを調整すれば、つまり、切替時間にヒステリシスを持たせると、時間ｔ１＞時間ｔ２であるから、階層Ａから階層Ｂへの切替の際違和感を低減することができる。つまり、階層切替の際切替後の階層に係るセグメント情報に応じて規定された時間だけ切替タイミングを遅延させて階層選択信号を出力することになる。なお、上述の実施の形態１においては、電力比較部１８及びＴＳ−Ｄｅｍｕｘ２１が集合的に階層選択手段として機能する。
【００４８】
以上のように、この実施の形態１によれば、複数の階層Ａ及びＢで少なくとも変調方式が異なる際に、階層Ａ及びＢがサイマル放送であると、階層Ａ及びＢ毎の受信状態に応じて階層Ａ及びＢの１つを選択するように構成したので、映像及び音声が途中で途切れる頻度を軽減することができるという効果がある。
【００４９】
この実施の形態１によれば、セグメント情報（階層情報）、遅延プロファイル、及び移動体位置情報を考慮して階層選択制御信号を生成するようにしたので、精度よく階層切替を行うことができるという効果がある。
【００５０】
この実施の形態１によれば、階層切替の際切替後の階層に係る階層情報に応じて規定された時間だけ遅延させて階層選択信号を出力するようにしたので、階層切替の際の違和感を軽減できるという効果がある。
【図面の簡単な説明】
【００５１】
【図１】この発明の実施の形態１による受信装置で受信される地上デジタル放送のフォーマットを示す図であり、（ａ）は１つの階層が１３セグメントで構成された例、（ｂ）は１３セグメントが３つの階層に分割された例、（ｃ）及び（ｄ）は伝送スペクトルの例を示す図である。
【図２】この発明の実施の形態１による受信装置の構成の第１の例を示すブロック図である。
【図３】図２に示す電力比較部の動作を説明するためのブロック図である。
【図４】図２に示すＴＳ−Ｄｅｍｕｘの動作を説明するためのブロック図である。
【図５】図２に示す番組内容判定部の動作を説明するためのブロック図である。
【図６】この発明の実施の形態１による受信装置の構成の第２の例を示すブロック図である。
【図７】図７に示す遅延プロファイル検出部で検出された遅延プロファイルにおいて希望波と妨害波の到来時間差がガードインターバル長を超過した状態を示す図である。
【図８】この発明の実施の形態１による受信装置の構成の第３の例を示すブロック図である。
【図９】階層間の切替を行う際の時間制御（チャタリング制御）を説明するための図であり、（ａ）は時間制御を行なわない場合のタイミング図、（ｂ）は時間制御を行った場合のタイミング図である。
【符号の説明】
【００５２】
１０  受信装置、１１  アンテナ、１２  チューナ部、１３  アナログ／デジタルコンバータ部（ＡＤＣ）、１４  ＦＦＴ（Ｆａｓｔ  Ｆｏｕｒｉｅｒ  Ｔｒａｎｓｆｏｒｍ）部、１５  パイロット復調部、１６  周波数デインターリーブ部、１７  時間デインターリーブ部、１８  電力比較部、１９  ＴＭＣＣ復調部、２０  番組内容判定部、２１  ＴＳ−Ｄｅｍｕｘ（ＴＳ−分離部）、２２  階層分割部、２２ａ〜２２ｃ  復調及びビタビ復号、２３  ＴＳ再生部、２４  外符号復号部、２５  映像及び音声復号部、２６  遅延プロファイル部、２７  ＧＰＳ位置情報検出部。
【図１】
2006222557.tif 000003
【図２】
2006222557.tif 000004
【図３】
2006222557.tif 000005
【図４】
2006222557.tif 000006
【図５】
2006222557.tif 000007
【図６】
2006222557.tif 000008
【図７】
2006222557.tif 000009
【図８】
2006222557.tif 000010
【図９】
2006222557.tif 000011